(57)【要約】【課題】隣り合う庇板間に浸入した雨水が庇板の下面の随所で落下しないようにする。【解決手段】横並びに連ねられる複数枚の庇板２と、各庇板２の基端部を保持する保持枠３と、隣り合う庇板２，２の側縁部間を連結する連結枠６とを備える。連結枠６は庇板２，２の対向する各側縁部にそれぞれ装着される対をなす側枠材６０Ｌ，６０Ｒにより構成される。各側枠材６０Ｌ，６０Ｒは、内側面に庇板２の側縁部が挿入される挿入溝６１、外側面の上下位置に突出部６２，６３を備える。対をなす側枠材６０Ｌ，６０Ｒの上側の突出部６２，６２同士および下側の突出部６３，６３同士はそれぞれ衝き合わされた状態で各側枠材６０Ｌ，６０Ｒがアームの取付金具８により一体保持されている。上側の突出部６２，２と下側の突出部６３，６３とで挟まれる前後に延びる空間部Ｓ１内に樋部材７が挿入配備されている。【選択図】図５
2014177751.tif 000002
【特許請求の範囲】
【請求項１】
建物の外壁面より前方へ張り出すように設けられる庇において、建物の外壁面の同じ高さ位置に横並びに連ねられる複数枚の庇板と、連ねる各庇板の基端部を保持する保持枠と、隣り合う庇板の間に介在し各庇板の側縁部間を連結する連結枠とを備え、前記連結枠は、隣り合う庇板の対向する各側縁部にそれぞれ装着される対をなす側枠材により構成され、各側枠材は、内側面に庇板の側縁部が挿入される挿入溝、外側面の上下位置に突出部を有し、対をなす側枠材の上側の突出部同士および下側の突出部同士がそれぞれ衝き合わされた状態で各側枠材が一体保持されており、衝き合わされた状態の上側の突出部と衝き合わされた状態の下側の突出部とで挟まれる前後に延びる空間内に樋部材が挿入配備されて成る庇。
【請求項２】
前記樋部材は、互いに内方を向く開口縁部を有し、各開口縁部が対をなす各側枠材の上側の突出部に形成された折返し端部と咬み合っている請求項１に記載された庇。
【請求項３】
前記対をなす側枠材は、一方の側枠材が他方の側枠材に対して対称をなす形状に形成されている請求項１に記載された庇。
【請求項４】
請求項１に記載された庇であって、前記連結枠を上方または下方より支持するアームをさらに備えており、前記対をなす各側枠材はアームの一端部を連結枠に連結するための取付金具により一体保持されて成る庇。
【発明の詳細な説明】
【技術分野】
【０００１】
この発明は、建物の外壁面より庇板が前方へ張り出すように設けられる庇に関するもので、この発明は特に、庇板の基端部が建物の外壁面に取り付けられた保持枠に保持される構造の庇に関する。
【背景技術】
【０００２】
従来、その種の庇は、設置場所に応じて、使用する庇板の材質やサイズが選定される。例えば、窓の上方に設けられる庇として、窓の長さに応じた長さの板ガラス製の庇板が用いられている。庇の出幅が大きくなければ、仮に長い庇であっても、保持枠により庇板の基端部がしっかりと保持され、耐荷重性が不足することはないが、庇の出幅が大きなものとなると、耐荷重性が不十分となり、これを補うために、庇板の少なくとも１箇所をアームで支持することが必要となる（例えば特許文献１参照）。
【先行技術文献】
【特許文献】
【０００３】
【特許文献１】特開２００７−４００８７号公報
【発明の概要】
【発明が解決しようとする課題】
【０００４】
近年の建造物には、採光を良好となすために、大きな窓が横並びに多数連なるように設けられたものがある。この種の建造物において、連なった横に長い窓の上方に板ガラス製の庇を一連に設置するのに、庇板を例えば１枚ものの板ガラスにより構成すると、きわめて大きなサイズの板ガラスを用いる必要があり、運搬や取り扱いが著しく不便であるばかりでなく、設置作業が大掛かりとなる。
【０００５】
庇板を１枚ものの大きな板ガラスで構成することの諸問題を解決するのに、庇板としてサイズ（長さ）の小さな板ガラスを複数枚用い、それらの庇板を横並びに連ねて庇を構築することも可能であるが、隣り合う庇板の連結部分の隙間に雨水が浸入し、その雨水が庇板の下面を伝って随所で落下するという問題がある。
【０００６】
この発明は、上記の問題に着目してなされたもので、複数枚の庇板を樋部材が組み込まれた連結枠を介して横並びに連ねることにより、庇板の取り扱いの利便性や設置の作業性を向上させ、しかも、隣り合う庇板の連結部分の隙間に浸入した雨水が庇板の下面の随所で落下することのない庇を提供することを目的とする。
【課題を解決するための手段】
【０００７】
この発明による庇は、建物の外壁面より前方へ張り出すように設けられるもので、建物の外壁面の同じ高さ位置に横並びに連ねられる複数枚の庇板と、連ねる各庇板の基端部を保持する保持枠と、隣り合う庇板の間に介在し各庇板の側縁部間を連結する連結枠とを備えている。前記連結枠は、隣り合う庇板の対向する各側縁部にそれぞれ装着される対をなす側枠材により構成されている。各側枠材は、内側面に庇板の側縁部が挿入される挿入溝、外側面の上下位置に突出部を有し、対をなす側枠材の上側の突出部同士および下側の突出部同士がそれぞれ衝き合わされた状態で各側枠材が一体保持されている。衝き合わされた状態の上側の突出部と衝き合わされた状態の下側の突出部とで挟まれる前後に延びる空間内には樋部材が挿入配備されている。
【０００８】
この発明の上記した構成の庇において、雨水は連結枠を構成する側枠材間の隙間に侵入するが、その侵入した雨水は樋部材に流入して導出されるので、雨水が庇板の下面を伝って随所で落下することはない。
【０００９】
この発明の好ましい実施態様においては、前記樋部材は、互いに内方を向く開口縁部を有し、各開口縁部が対をなす各側枠材の上側の突出部に形成された折返し端部と咬み合っている。
この実施態様によれば、樋部材の開口縁部と対をなす各側枠材の上側の突出部とが係合するので、対をなす側枠材は樋部材によって一体保持され、庇板間の連結部分の強度が高められる。
【００１０】
この発明の好ましい実施態様においては、前記対をなす側枠材は、一方の側枠材が他方の側枠材に対して対称をなす形状に形成されている。
この実施態様によれば、対をなす側枠材は同じ形状のものを用いることができるので、１種類の側枠材を製作すればよく、製作コストが低減され、在庫管理も容易となる。
【００１１】
この発明による他の庇では、前記連結枠を上方または下方より支持するアームをさらに備えており、前記対をなす各側枠材はアームの一端部を連結枠に連結するための取付金具により一体保持されている。
【００１２】
この発明の上記した構成の庇において、対をなす各側枠材はアームにより支持されかつアームの一端部を連結枠に連結するための取付金具により一体保持されるので、庇の耐荷重性が高められる。
【発明の効果】
【００１３】
この発明によると、複数枚の庇板を連ねて庇を構築するので、１枚ものの大きな板材を庇板として用いる必要がなく、庇板の取り扱いの利便性や設置の作業性を向上できる。しかも、隣り合う庇板間に介在させる連結枠内に樋部材が組み込まれているので、雨水が庇板間の連結部分の隙間から侵入しても、雨水は樋部材に流入して導出され、庇板の下面の随所で落下することがない。
また、アームの一端を連結枠に連結するための取付金具により側枠材間を一体保持するようにしたから、庇の耐荷重性が高められる。
【図面の簡単な説明】
【００１４】
【図１】この発明の一実施例である庇の外観を示す斜視図である。
【図２】図１の実施例の平面図である。
【図３】図１の実施例の側面図である。
【図４】図２のＡ−Ａ線に沿う断面図である。
【図５】図２のＢ−Ｂ線に沿う断面図である。
【図６】図５の一部を拡大して示す断面図である。
【図７】図５のＣ−Ｃ線に沿う断面図である。
【図８】他の実施例の断面図である。
【発明を実施するための形態】
【００１５】
図１〜図３は、この発明の一実施例である庇１の外観を示している。
図示の庇１は建物の外壁面１０から張り出すように設けられるもので、建物の外壁面１０の同じ高さ位置に横並びに連ねられる複数枚の庇板２と、建物の外壁面１０に取り付けられ連ねる各庇板２の基端部を全長にわたって保持する保持枠３と、隣り合う庇板２，２間に介装され各庇板２の側縁部間を連結する連結枠６と、各連結枠６を上方より吊持する複数本のアーム９とを備えている。この実施例の庇は、庇板２を５枚連ねて構成されたもので、中央の３枚の庇板２に比べて両側の２枚の庇板２は小幅のものを用いている。なお、この実施例の保持枠３は、庇の全長にわたる一連のものを用いているが、これに限らず、複数本を継ぎ足したような構成のものであってもよい。
【００１６】
保持枠３上には全長にわたってカバー４が被せられ、両側端には端板４５，４５がネジ止めされている。各庇板２は、保持枠３により前下がりの姿勢に保持されているが、水平な姿勢や後下がりの姿勢に保持することもできる。
なお、図２では、庇の出幅をＹ、庇の長さをＸで示してあるが、庇は複数枚の庇板２を連ねて構成しかつ複数本のアーム９を用いて吊持しているので、庇の設置場所などに応じて、前記の出幅Ｙおよび長さＸを自在に設定することが可能である。
【００１７】
この実施例では、庇板２として、図４に示すように、合成樹脂製の芯材２０の表裏両面にアルミニウムの薄板材２１が積層された積層複合材が用いてある。各庇板２の先端縁および両側縁には水切り用の縁枠材２３が複数個のネジ２４によって装着されている。この縁枠材２３はアルミニウムの押出成形により形成されたものである。なお、庇板２は、上記の積層複合材に代えて、合成樹脂単板を用いることもでき、また、後述する他の実施例のように、板ガラスを用いることもできる。
【００１８】
保持枠３は、庇の長さＸとほぼ一致する長さを有し、アルミニウムの押出加工により形成されており、建物の外壁面１０に背面を当接させてボルト４０により固定される背板部３０と、背板部３０の前面の下端部に保持溝３３を挟んで上下に対向して設けられる一対の保持板部３１，３２とを一体に備えている。背板部３０には、各ボルト４０を通すためのボルト通し孔３６が所定の間隔で開設されている。
【００１９】
保持板部３１，３２間の保持溝３３は、前面が全長にわたり開放されており、庇板２の基端部の厚さｔにほぼ一致する溝幅ｄに形成されている。上側の保持板部３１の前端縁は上方へ曲げられ、保持溝３３の開口部分がわずかに広げられている。庇板２の基端部は保持溝３３へ前方より嵌挿され、基端面２２は保持溝３３の溝底面である背板部３０の表面に当接させてある。なお、庇板２の基端部の厚さｔはわずかな誤差を有するが、その厚さｔが溝幅ｄより多少大きくても、保持溝３３へ庇板２の基端部を圧入することで保持板部３１，３２がわずかに撓むので、庇板２の基端部を保持溝３３内に嵌挿するのに支障をきたすことはない。
【００２０】
上側の保持板部３１と庇板２の基端部の上面との間、および下側の保持板部３２と庇板２の基端部の下面との間に接着剤を介在させることにより庇板２と各保持板部３１，３２とを接合してある。下側の保持板部３２の上面には、接着剤が溜まる一定幅の凹溝３７が２個所、形成されている。なお、このような凹溝３７は上側の保持板部３１の下面にも形成してもよい。上側の保持板部３１の前端縁の押し広げられた開口部分にはコーキング材３８が充填されている。
【００２１】
保持枠３の背板部３０の保持溝３３に対応する部分は保持溝３３の溝底を構成しており、この溝底部分に背板部３０を貫通するネジ通し孔３４が背板部３０の長さ方向に沿って所定の間隔毎に開設されている。各ネジ通し孔３４には、ネジ軸部５１の径がネジ通し孔３４の内径より小さく頭部５２の径がネジ通し孔３４の内径より大きな木ビスなどのネジ５がそれぞれ挿通される。
背板部３０の背面の各ネジ通し孔３４の位置には、ネジ５の頭部５２が嵌って支持される凹溝３５が背板部３０の全長にわたって一連に形成されている。この凹溝３５は、ネジ５の頭部５２が背板部３０の背面より突出しない溝深さ、すなわち、ネジ５の頭部５２の厚さより大きな溝深さに形成されている。
【００２２】
庇板２の基端部は保持板部３１，３２間の保持溝３３中に基端面２２が溝底面である背板部３０の前面に当接する位置まで嵌挿される。庇板２の基端面２２には背板部３０の背面側よりネジ通し孔３４へ挿入されたネジ５のネジ軸部５１がねじ込まれている。ネジ５のネジ軸部５１は庇板２の基端面２２より合成樹脂製の芯材２０を穿孔しつつ進入するが、削り取られた合成樹脂材料が周辺へ押し退けられる結果、そのねじ込まれた部分では庇板２の芯材２０が厚さ方向へ膨出する。この膨出に応じて芯材２０を挟むアルミニウムの薄板材２１が変形し、この変形によって庇板２の基端部が保持溝３３に緊密に嵌合する。なお、庇板２の基端部の変形度合は各ネジ５のネジ軸部５１の径および長さに応じて変わるので、各ネジ５は抜止め効果や作業性などを考慮して最適なものを選定する。
【００２３】
保持枠３の背板部３０の上端と上側の保持板部３１の前端には、カバー４の内側に形成された係合突部４１ａ，４１ｂと係合する係合部３９ａ，３９ｂが形成されている。カバー４は保持枠３と同じ長さを有するもので、カバー４の前端縁は下側の保持板部３２の前端部上まで達し、上側の保持板部３１の前端面を覆っている。
【００２４】
前記の各連結枠６は、図５に示すように、隣り合う庇板２，２の間に介在しており、各庇板２の側縁部２５，２５間を連結する。各庇板２の対向する側縁部２５にはそれぞれ対をなす側枠材６０Ｌ，６０Ｒが装着されるとともに、各側枠材６０Ｌ，６０Ｒは横並びの状態で後述する樋部材７および取付金具８により一体保持されている。
各連結枠６を構成する各側枠材６０Ｌ，６０Ｒは、アルミニウムの押出加工により形成されたもので、図２に示すように、基端が保持枠３の前端縁の位置に位置し、先端は庇板２の前端縁の手前位置に達している。各側枠材６０Ｌ，６０Ｒは、一方の側枠材が他方の側枠材に対して対称をなす形状のものであり、同じものを前後反転して用いている。
【００２５】
各側枠材６０Ｌ，６０Ｒは、内側面に庇板２の側縁部２５が挿入される挿入溝６１、外側面の上下位置に突出部６２，６３を備えており、対をなす側枠材６０Ｌ，６０Ｒの上側の突出部６２，６２同士および下側の突出部６３，６３同士がそれぞれ衝き合わされた状態で各側枠材６０Ｌ，６０Ｒが一体保持されている。
【００２６】
前記挿入溝６１は、上下の支持板部６４，６５間に形成されており、この挿入溝６１に庇板２の側縁部２５が側縁端面２５ａが溝底面６１ａに当接する位置まで嵌挿されている。この挿入溝６１は全長にわたって開放されており、溝幅は庇板２の側縁部２５の厚さとほぼ一致させている。上側の支持板部６４と庇板２の側縁部２５の上面との間、および下側の支持板部６５と庇板２の側縁部２５の下面との間にそれぞれ接着剤を介在させることにより庇板２と各支持板部６４，６５とを接合している。上側の支持板部６４の下面および下側の支持板部６５の上面には、それぞれ接着剤が溜まる一定幅の凹溝６４ａ，６５ａが形成されている。
【００２７】
前記溝底面６１ａには一定間隔毎にネジ通し孔６１ｂが貫通して開設されており、庇板２の側縁端面２５ａには溝底面６１ａの背後よりネジ通し孔６１ｂへ貫挿させたネジ６６がねじ込まれている。ネジ６６には、ネジ軸部６６ｂの径がネジ通し孔６１ｂの内径より小さく、頭部６６ａの径がネジ通し孔６１ｂの内径より大きな木ビスが用いてある。対をなす側枠材６０Ｌ，６０Ｒの一方に形成される各ネジ通し孔６１ｂと他方に形成される各ネジ通し孔６１ｂとは、図７に示すように、それぞれの位置が重ならないように穿設位置を前後にずらせている。これにより、溝底面６１ａの背後（後述する隙間部Ｓ２）面側において、一方の側枠材６０Ｌの側縁端面２５ａにねじ込まれた各ネジ６６の頭部６６ａと他方の側枠材６０Ｒの側縁端面２５ａにねじ込まれた各ネジ６６の頭部６６ａとが互いに干渉しないようになっている。そのように構成することで、隙間部Ｓ２の幅が小さく設定することができる。
【００２８】
このネジ６６の作用は、前記したネジ５と同様であり、ネジ６６のネジ軸部６６ｂは庇板２の側縁端面２５ａより合成樹脂製の芯材２０を穿孔しつつ進入するとき、削り取られた合成樹脂材料が周辺へ押し退けられる結果、そのねじ込まれた部分では庇板２の芯材２０が厚さ方向へ膨出し、この膨出に応じて芯材２０を挟むアルミニウムの薄板材２１が変形し、この変形によって庇板２の側縁部２５が挿入溝６１に緊密に嵌合するものである。
【００２９】
上側の支持板部６４の上面には、位置決め部材９０を前後方向へ摺動自由に保持する摺動溝６７が全長にわたって形成されている。この位置決め部材９０は、アーム９の下端部を連結する前後方向の位置を調整するためのものである。摺動溝６７は、支持板部６４と上板部６８との間に形成されており、上板部６８の幅中央部には溝開口６８ａが全長にわたって形成されている。
【００３０】
位置決め部材９０は、摺動溝６７の溝幅とほぼ同一幅を有する金属製の板状体であり、位置決め部材９０の板面上の前後位置にネジ軸９０ａがそれぞれ上向きに突設されている。各ネジ軸９０ａは溝開口６８ａより上板部６８の上方へ突出するもので、各ネジ軸９０ａにはアーム９の下端に取り付けられた取付金具８の基板部８１が接続される。
アーム９の取付金具８は、対をなす側枠材６０Ｌ，６０Ｒを横並びの状態で一体化する金具を兼ねており、側枠材６０Ｌ，６０Ｒに跨ることが可能な長さの基板部８１を含み、その基板部８１の左右対称位置の前後位置に貫通孔８２がそれぞれ形成されている。各貫通孔８２には、それぞれネジ軸９０ａが通され、その先端にナット９０ｂを装着して締め付けることにより、連結枠６に対してアーム９の下端部が連結され、かつ対をなす側枠材６０Ｌ，６０Ｒが一体保持される。
【００３１】
対をなす各側枠材６０Ｌ，６０Ｒの外側面の上下位置には、前記上板部６８および下側の支持板部６５をそれぞれ外側へ延出もしくは突出させた突出部６２，６３が形成されている。上側の突出部６２は、図５および図６に示すように、先端部分が折り返され、この折返し端部６２ａ内に後述する樋部材７の板厚に相当する溝幅の係合溝６２ｂが形成されている。下側の突出部６３は先細の形状のものであり、その突端と上側の突出部６２の突端とは位置が揃っている。
【００３２】
対をなす側枠材６０Ｌ，６０Ｒの上側の突出部６２，６２同士および下側の突出部６３，６３同士はそれぞれ同じ高さに揃えられて衝き合わされている。その衝き合わされた上側の突出部６２，６２と衝き合わされた下側の突出部６３，６３とで挟まれる前後に延びる空間部Ｓ１内には樋部材７が挿入配備されている。樋部材７は前後の各端面が開放され、上面の開口部は上側の突出部６２，６２の衝き合わせ部分の真下に位置している。
前記空間部Ｓ１は、樋部材７を嵌合状態で収容することが可能な形状および大きさのものであり、両側方へ張り出すような形状をしている。その空間部Ｓ１の下方には前後方向に延びる一定幅の隙間部Ｓ２が形成されている。隙間部Ｓ２は空間部Ｓ１と連通しており、図７に示すように、この隙間部Ｓ２に前記ネジ６６の頭部６６ａが互いに干渉することなく位置している。
【００３３】
前記樋部材７は、側枠材６０Ｌ，６０Ｒと同じ長さに形成されており、内方を向く開口縁部７１，７２の先端縁が対をなす各側枠材６０Ｌ，６０Ｒの上側の突出部６２に形成された折返し端部６２ａの係合溝６２ｂに入り込むことで開口縁部７１，７２と折返し端部６２ａとが咬み合っている。樋部材７の底部７３は隙間部Ｓ２の上方を跨るようにして各側枠材６０Ｌ，６０Ｒの外面の肩部６９上に支持されている。
なお、樋部材７は、必ずしも、対をなす側枠材６０Ｌ，６０Ｒと係合するような構造である必要はなく、例えば、図８に示すように、空間部Ｓ１へ嵌合状態で挿入するだけのものであってもよい。この図８に示す実施例は、庇板２として板ガラスを用いたものであり、各側枠材６０Ｌ，６０Ｒも上記した実施例とは異なった構造である。
【００３４】
前記アーム９は、図３に示すように、長さ調節が可能な金属製パイプより成るアーム本体９１の両端にネジ軸９２，９３を介して取付金具８，８０がそれぞれ取り付けられている。各ネジ軸９２，９３は一端部に取付金具８，８０を構成する連結板８３（図５に示す。）が取り付けられ、他端部はアーム本体９１の両端に装着されたナット部材９４，９５にねじ込まれている。各ネジ軸９２，９３はネジの方向が逆方向であり、アーム本体９１を一方向へ回転させたとき、各ネジ軸９２，９３がアーム本体９１の両端より突き出てアーム９の長さが長くなり、また、アーム本体９１を反対方向へ回転させたとき、ネジ軸９２，９３がアーム本体９１の内部へ入り込んでアーム９の長さが短くなる。
【００３５】
アーム９の下端部側の取付金具８は、図５に示すように、前記基板部８１上に前記連結板８３を両側より挟むように一対の取付板８５，８５が一体形成されるとともに、枢軸８４上に前記連結板８３と取付板８５，８５とを回動自由に支持することにより連結板８３に対して取付板８５を屈曲可能としたものである。
【００３６】
アーム９の上端部側の取付金具８０も、詳細は図示していないが、下端部側の取付金具８と同様の構成のものであるが、基板部８８に形成した２個の貫通孔にアンカーボルト８９をそれぞれ通して基板部８８を建物の外壁面１０に固定する。
【００３７】
上記した構成の庇では、連結枠６を構成する対をなす側枠材６０Ｌ，６０Ｒの上側の突出部６２，６２同士および下側の突出部６３，６３同士がそれぞれ衝き合わされた状態で各側枠材６０Ｌ，６０Ｒが取付金具８により一体保持されるとともに、衝き合わされた上側の突出部６２，６２と衝き合わされた下側の突出部６３，６３とで挟まれる前後に延びる空間部Ｓ１内に樋部材７が挿入配備されているので、対をなす側枠材６０Ｌ，６０Ｒ間の隙間より侵入した雨水は、樋部材７に上面の開口部より流入し、前端の開放端より導出されるので、雨水が庇板２の下面を伝って随所で落下することはない。
【００３８】
また、樋部材７は、互いに内方を向く開口縁部７１，７２が対をなす各側枠材６０Ｌ，６０Ｒの上側の突出部６２に形成された折返し端部６２ａと咬み合っているので、対をなす側枠材６０Ｌ，６０Ｒは樋部材７によっても一体保持されているうえに、アーム９により連結枠６を介して各庇板２が支持されているので、隣り合う庇板２，２間の結合強度が十分に保持され、庇１の耐荷重性が高められる。
【符号の説明】
【００３９】
１    庇
２    庇板
３    保持枠
６    連結枠
７    樋部材
８    取付金具
９    アーム
２５  側縁部
６０Ｌ，６０Ｒ  側枠材
６１  挿入溝
６２，６３  突出部
【図１】
2014177751.tif 000003
【図２】
2014177751.tif 000004
【図３】
2014177751.tif 000005
【図４】
2014177751.tif 000006
【図５】
2014177751.tif 000007
【図６】
2014177751.tif 000008
【図７】
2014177751.tif 000009
【図８】
2014177751.tif 000010